【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
（ｉ）活性化剤担体及び固体メタロセン化合物を第１の時間接触させて、あらかじめ接触させた混合物を形成させること；ならびに
（ｉｉ）前記あらかじめ接触させた混合物を有機アルミニウム化合物と第２の時間接触させて、触媒組成物を作製すること
を含む、前記触媒組成物を作製するプロセスであって、
前記触媒組成物の活性が、同じ重合条件下で前記固体メタロセン化合物の代わりに前記メタロセン化合物の溶液を使用することによって得られる触媒系の活性よりも５％〜１００％大きい、
プロセス。
【請求項２】
ステップ（ｉ）において、第１の希釈剤中の前記活性化剤担体のスラリーを、第２の希釈剤中の前記固体メタロセン化合物のスラリーと接触させる、請求項１記載のプロセス。
【請求項３】
ステップ（ｉ）において、前記活性化剤担体及び前記固体メタロセン化合物のうちの１つ以上が乾燥固体である、請求項１記載のプロセス。
【請求項４】
前記活性化剤担体が、フッ化固体酸化物、硫酸化固体酸化物、リン酸化固体酸化物、またはそれらの組合せを含み；かつ
前記固体メタロセン化合物が、シクロペンタジエニル基及びフルオレニル基を含む、架橋ジルコニウム系メタロセン化合物または架橋ハフニウム系メタロセン化合物を含む、
請求項１記載のプロセス。
【請求項５】
前記第１の時間が１５秒以上であり；かつ
前記触媒組成物の活性が、同じ重合条件下で前記固体メタロセン化合物の代わりに前記メタロセン化合物の溶液を使用することによって得られる触媒系の活性よりも５％〜７５％大きい、
請求項１記載のプロセス。
【請求項６】
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、トリ‐ｎ‐ヘキシルアルミニウム、トリ‐ｎ‐オクチルアルミニウム、水素化ジイソブチルアルミニウム、ジエチルアルミニウムエトキシド、塩化ジエチルアルミニウム、またはそれらの任意の組合せを含み；かつ
前記活性化剤担体が、フッ化シリカ−アルミナ、フッ化シリカ被覆アルミナ、硫酸化アルミナ、またはそれらの組合せを含む、
請求項１記載のプロセス。
【請求項７】
前記活性化剤担体に対する前記固体メタロセン化合物の重量比が、１：１０〜１：１０，０００の範囲内であり；且つ
前記有機アルミニウム化合物に対する前記活性化剤担体の重量比が、１：５〜１０００：１の範囲内である、
請求項１記載のプロセス。
【請求項８】
（ａ）活性化剤担体、（ｂ）固体メタロセン化合物、及び（ｃ）有機アルミニウム化合物を任意の順番で接触させて、触媒組成物を作製することを含む、前記触媒組成物を作製するプロセスであって、
前記触媒組成物の活性が、同じ重合条件下で前記固体メタロセン化合物の代わりに前記メタロセン化合物の溶液を使用することによって得られる触媒系の活性よりも５％〜１００％大きい、
プロセス。
【請求項９】
前記プロセスが、第１の希釈剤中の前記活性化剤担体のスラリーと、第２の希釈剤中の前記固体メタロセン化合物のスラリーと、前記有機アルミニウム化合物と、を接触させることを含む、請求項８記載のプロセス。
【請求項１０】
前記プロセスが、第１の希釈剤中の前記活性化剤担体のスラリーと、第２の希釈剤中の前記固体メタロセン化合物のスラリーと、前記有機アルミニウム化合物の溶液と、を接触させることを含む、請求項８記載のプロセス。
【請求項１１】
前記活性化剤担体及び前記固体メタロセン化合物のうちの１つ以上が乾燥固体である、請求項８記載のプロセス。
【請求項１２】
前記固体メタロセン化合物が架橋メタロセン化合物を含み；
前記活性化剤担体が硫酸化アルミナを含む、
請求項８記載のプロセス。
【請求項１３】
前記活性化剤担体が、フッ化固体酸化物、硫酸化固体酸化物、またはそれらの組合せを含み；
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、またはそれらの任意の組合せを含み；かつ
前記固体メタロセン化合物が、２つのシクロペンタジエニル基、２つのインデニル基、またはシクロペンタジエニル基及びインデニル基を含有する、非架橋ジルコニウム系メタロセン化合物または非架橋ハフニウム系メタロセン化合物を含む、
請求項８記載のプロセス。
【請求項１４】
前記触媒組成物の活性が、同じ重合条件下で前記固体メタロセン化合物の代わりに前記メタロセン化合物の溶液を使用することによって得られる触媒系の活性よりも５％〜７５％大きい、請求項８記載のプロセス。
【請求項１５】
前記活性化剤担体が、フッ化固体酸化物及び／又は硫酸化固体酸化物を含み；且つ
前記固体メタロセン化合物が、シクロペンタジエニル基及びフルオレニル基並びにアルケニル置換基を含む架橋ジルコニウム系メタロセン化合物又は架橋ハフニウム系メタロセン化合物を含む、請求項１記載のプロセス。
【請求項１６】
前記活性化剤担体が、フッ化シリカ−アルミナ、フッ化シリカ被覆アルミナ、硫酸化アルミナ、又はそれらの組合せを含む、
請求項１５記載のプロセス。
【請求項１７】
前記活性化剤担体が、フッ化固体酸化物及び／又は硫酸化固体酸化物を含み；且つ
前記固体メタロセン化合物が、２つのシクロペンタジエニル基、２つのインデニル基、又はシクロペンタジエニル基及びインデニル基を含む非架橋ジルコニウム系メタロセン化合物を含む、
請求項１記載のプロセス。
【請求項１８】
前記第１の希釈剤及び第２の希釈剤は独立してプロパン、シクロヘキサン、イソブタン、ｎ‐ブタン、ｎ‐ペンタン、イソペンタン、ネオペンタン、ｎ‐ヘキサン、又はそれらの組合せを含む、
請求項２記載のプロセス。
【請求項１９】
前記活性化剤担体が、フッ化固体酸化物及び／又は硫酸化固体酸化物を含み；且つ
前記固体メタロセン化合物が、シクロペンタジエニル基及びフルオレニル基並びにアルケニル置換基を含む架橋ジルコニウム系メタロセン化合物又は架橋ハフニウム系メタロセン化合物を含む、
請求項８記載のプロセス。
【請求項２０】
前記活性化剤担体が、フッ化シリカ−アルミナ、フッ化シリカ被覆アルミナ、硫酸化アルミナ、又はそれらの組合せを含む、
請求項１９記載のプロセス。
【請求項２１】
前記第１の希釈剤及び第２の希釈剤は独立してプロパン、シクロヘキサン、イソブタン、ｎ‐ブタン、ｎ‐ペンタン、イソペンタン、ネオペンタン、ｎ‐ヘキサン、又はそれらの組合せを含む、
請求項９記載のプロセス。
【請求項２２】
前記活性化剤担体が、フッ化シリカ−アルミナ、フッ化シリカ被覆アルミナ、硫酸化アルミナ、またはそれらの組合せを含み；且つ
前記固体メタロセン化合物が、シクロペンタジエニル基及びインデニル基並びにアルケニル置換基を含む非架橋ジルコニウム系メタロセン化合物を含む、
請求項１３記載のプロセス。
【請求項２３】
（ｉ）活性化剤担体及び固体メタロセン化合物の、前接触済み混合物；並びに
（ｉｉ）有機アルミニウム化合物
を含む、触媒組成物であって、
前記触媒組成物の活性が、同じ重合条件下で前記固体メタロセン化合物の代わりに前記メタロセン化合物の溶液を使用することによって得られる触媒系の活性よりも５％〜１００％大きい、
組成物。
【請求項２４】
前記活性化剤担体が、フッ化固体酸化物、硫酸化固体酸化物、リン酸化アルミナ、又はそれらの組合せを含み；
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、又はそれらの任意の組合せを含み；且つ
前記固体メタロセン化合物が、シクロペンタジエニル基及びフルオレニル基を含む、架橋ジルコニウム系メタロセン化合物又は架橋ハフニウム系メタロセン化合物を含む、
請求項２３記載の組成物。
【請求項２５】
前記触媒組成物の活性が、同じ重合条件下で前記固体メタロセン化合物の代わりに前記メタロセン化合物の溶液を使用することによって得られる触媒系の活性よりも５％〜７５％大きい、
請求項２３記載の組成物。
【請求項２６】
前記前接触済み混合物は前記固体メタロセン化合物を溶解しない炭化水素希釈剤を含む、
請求項２３記載の組成物。
【請求項２７】
前記活性化剤担体が、フッ化固体酸化物及び／又は硫酸化固体酸化物を含む、
請求項２３記載の組成物。
【請求項２８】
前記固体メタロセン化合物が、２つのシクロペンタジエニル基、２つのインデニル基、又はシクロペンタジエニル基及びインデニル基を含む非架橋ジルコニウム系メタロセン化合物を含む、
請求項２７記載の組成物。
【請求項２９】
前記固体メタロセン化合物が、シクロペンタジエニル基及びフルオレニル基並びにアルケニル置換基を含む架橋ジルコニウム系メタロセン化合物又は架橋ハフニウム系メタロセン化合物を含む、請求項２７記載の組成物。
【請求項３０】
前記活性化剤担体が、フッ化シリカ−アルミナ、フッ化シリカ被覆アルミナ、硫酸化アルミナ、又はそれらの組合せを含む、
請求項２３記載の組成物。
【請求項３１】
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、トリ‐ｎ‐ヘキシルアルミニウム、トリ‐ｎ‐オクチルアルミニウム、水素化ジイソブチルアルミニウム、ジエチルアルミニウムエトキシド、塩化ジエチルアルミニウム、またはそれらの任意の組合せを含む、
請求項３０記載の組成物。
【請求項３２】
前記活性化剤担体に対する前記固体メタロセン化合物の重量比が、１：１０〜１：１０，０００の範囲内であり；且つ
前記有機アルミニウム化合物に対する前記活性化剤担体の重量比が、１：５〜１０００：１の範囲内である、
請求項２３記載の組成物。
【請求項３３】
（ａ）活性化剤担体、（ｂ）固体メタロセン化合物、及び（ｃ）有機アルミニウム化合物を含む、前記触媒組成物であって、
前記触媒組成物の活性が、同じ重合条件下で前記固体メタロセン化合物の代わりに前記メタロセン化合物の溶液を使用することによって得られる触媒系の活性よりも５％〜１５０％大きい、
組成物。
【請求項３４】
前記触媒組成物の活性が、同じ重合条件下で前記固体メタロセン化合物の代わりに前記メタロセン化合物の溶液を使用することによって得られる触媒系の活性よりも５％〜５０％大きい、請求項３３記載の組成物。
【請求項３５】
前記触媒組成物は前記固体メタロセン化合物を溶解しない炭化水素希釈剤を含む、
請求項３３記載の組成物。
【請求項３６】
前記活性化剤担体が、フッ化固体酸化物及び／又は硫酸化固体酸化物を含む、
請求項３３記載の組成物。
【請求項３７】
前記固体メタロセン化合物が、２つのシクロペンタジエニル基、２つのインデニル基、又はシクロペンタジエニル基及びインデニル基を含む非架橋ジルコニウム系メタロセン化合物を含む、
請求項３６記載の組成物。
【請求項３８】
前記固体メタロセン化合物が、シクロペンタジエニル基及びフルオレニル基並びにアルケニル置換基を含む架橋ジルコニウム系メタロセン化合物又は架橋ハフニウム系メタロセン化合物を含む、請求項３６記載の組成物。
【請求項３９】
前記活性化剤担体が、フッ化シリカ−アルミナ、フッ化シリカ被覆アルミナ、硫酸化アルミナ、又はそれらの組合せを含む、
請求項３３記載の組成物。
【請求項４０】
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、トリ‐ｎ‐ヘキシルアルミニウム、トリ‐ｎ‐オクチルアルミニウム、水素化ジイソブチルアルミニウム、ジエチルアルミニウムエトキシド、塩化ジエチルアルミニウム、またはそれらの任意の組合せを含む、
請求項３９記載の組成物。
【請求項４１】
前記活性化剤担体に対する前記固体メタロセン化合物の重量比が、１：１０〜１：１０，０００の範囲内であり；且つ
前記有機アルミニウム化合物に対する前記活性化剤担体の重量比が、１：５〜１０００：１の範囲内である、
請求項３３記載の組成物。
【請求項４２】
前記固体メタロセン化合物が架橋メタロセン化合物を含み；
前記活性化剤担体が硫酸化アルミナを含み；且つ
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、又はそれらの任意の組合せを含む、
請求項３３記載の組成物。
【手続補正２】
【補正対象書類名】明細書
【補正対象項目名】００２２
【補正方法】変更
【補正の内容】
【００２２】
本明細書において言及する全ての公表文献及び特許は、例えば現在説明している発明と関連して使用される可能性のある、公表文献に記載の構成物及び方法を説明及び開示する目的で、参照により本明細書に援用される。本文中で考察した公表文献は、本出願の提出日前の開示のみについて提供する。本明細書においては、先行発明によってかかる開示を先日付とする権限が発明者にないことの承認として解釈するべきものはない。
他の記載と重複するが、本発明を以下に示す。
［書類名］特許請求の範囲
［発明１］
（ｉ）活性化剤担体及び固体メタロセン化合物を第１の時間接触させて、あらかじめ接触させた混合物を形成させること；ならびに
（ｉｉ）前記あらかじめ接触させた混合物を有機アルミニウム化合物と第２の時間接触させて、触媒組成物を作製すること
を含む、前記触媒組成物を作製するプロセス。
［発明２］
ステップ（ｉ）において、第１の希釈剤中の前記活性化剤担体のスラリーを、第２の希釈剤中の前記固体メタロセン化合物のスラリーと接触させる、発明１記載のプロセス。
［発明３］
ステップ（ｉ）において、前記活性化剤担体及び前記固体メタロセン化合物のうちの１つ以上が乾燥固体である、発明１記載のプロセス。
［発明４］
前記活性化剤担体が、フッ化固体酸化物、硫酸化固体酸化物、リン酸化固体酸化物、またはそれらの組合せを含み；かつ
前記固体メタロセン化合物が、シクロペンタジエニル基及びフルオレニル基を含む、架橋ジルコニウム系メタロセン化合物または架橋ハフニウム系メタロセン化合物を含む、
発明１記載のプロセス。
［発明５］
前記第１の時間が約１５秒以上であり；かつ
前記触媒組成物の活性が、同じ重合条件下で前記固体メタロセン化合物の代わりに前記メタロセン化合物の溶液を使用することによって得られる触媒系の活性よりも約５％〜約１００％大きい、
発明１記載のプロセス。
［発明６］
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、トリ‐ｎ‐ヘキシルアルミニウム、トリ‐ｎ‐オクチルアルミニウム、水素化ジイソブチルアルミニウム、ジエチルアルミニウムエトキシド、塩化ジエチルアルミニウム、またはそれらの任意の組合せを含み；かつ
前記活性化剤担体が、フッ化シリカ−アルミナ、フッ化シリカ被覆アルミナ、硫酸化アルミナ、またはそれらの組合せを含む、
発明１記載のプロセス。
［発明７］
前記活性化剤担体に対する前記固体メタロセン化合物の重量比が、約１：１０〜約１：１０，０００の範囲内であり；
前記有機アルミニウム化合物に対する前記活性化剤担体の重量比が、約１：５〜約１０００：１の範囲内であり；かつ
前記触媒組成物の活性が、同じ重合条件下で前記固体メタロセン化合物の代わりに前記メタロセン化合物の溶液を使用することによって得られる触媒系の活性よりも大きい、
発明１記載のプロセス。
［発明８］
重合反応装置系において重合条件下で触媒組成物をオレフィンモノマー及び任意にオレフィンコモノマーと接触させて、オレフィンポリマーを作製することを含むオレフィン重合プロセスであって、前記触媒組成物が発明１記載のプロセスによって作製される、オレフィン重合プロセス。
［発明９］
前記活性化剤担体が、フッ化シリカ−アルミナ、フッ化シリカ被覆アルミナ、硫酸化アルミナ、リン酸化アルミナ、またはそれらの組合せを含み；
前記重合反応装置系が、スラリー反応装置、気相反応装置、溶液反応装置、またはそれらの組合せを含み；かつ
前記オレフィンモノマーがエチレンを含み、前記オレフィンコモノマーがＣ３〜Ｃ１０アルファオレフィンを含む、
発明８記載のオレフィン重合プロセス。
［発明１０］
（ａ）活性化剤担体；
（ｂ）固体メタロセン化合物；及び
（ｃ）有機アルミニウム化合物
を任意の順番で接触させて、触媒組成物を作製することを含む、前記触媒諸組成物を作製するプロセス。
［発明１１］
前記プロセスが、第１の希釈剤中の前記活性化剤担体のスラリーと、第２の希釈剤中の前記固体メタロセン化合物のスラリーと、前記有機アルミニウム化合物と、を接触させることを含む、発明１０記載のプロセス。
［発明１２］
前記プロセスが、第１の希釈剤中の前記活性化剤担体のスラリーと、第２の希釈剤中の前記固体メタロセン化合物のスラリーと、前記有機アルミニウム化合物の溶液と、を接触させることを含む、発明１０記載のプロセス。
［発明１３］
前記活性化剤担体及び前記固体メタロセン化合物のうちの１つ以上が乾燥固体である、発明１０記載のプロセス。
［発明１４］
前記固体メタロセン化合物が架橋メタロセン化合物を含み；
前記活性化剤担体が硫酸化アルミナを含み；かつ
前記触媒組成物の活性が、同じ重合条件下で前記固体メタロセン化合物の代わりに前記メタロセン化合物の溶液を使用することによって得られる触媒系の活性よりも大きい、
発明１０記載のプロセス。
［発明１５］
前記活性化剤担体が、フッ化固体酸化物、硫酸化固体酸化物、またはそれらの組合せを含み；
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、またはそれらの任意の組合せを含み；かつ
前記固体メタロセン化合物が、２つのシクロペンタジエニル基、２つのインデニル基、またはシクロペンタジエニル基及びインデニル基を含有する、非架橋ジルコニウム系メタロセン化合物または非架橋ハフニウム系メタロセン化合物を含む、
発明１０記載のプロセス。
［発明１６］
前記触媒組成物の活性が、同じ重合条件下で前記固体メタロセン化合物の代わりに前記メタロセン化合物の溶液を使用することによって得られる触媒系の活性よりも約５％〜約１００％大きい、発明１０記載のプロセス。
［発明１７］
重合反応装置系において重合条件下で触媒組成物をオレフィンモノマー及び任意にオレフィンコモノマーと接触させて、オレフィンポリマーを作製することを含むオレフィン重合プロセスであって、前記触媒組成物が発明１０記載のプロセスによって作製される、オレフィン重合プロセス。
［発明１８］
前記重合反応装置系が、スラリー反応装置、気相反応装置、溶液反応装置、またはそれらの組合せを含み；かつ
前記触媒組成物を、エチレンと、１‐ブテン、１‐ヘキセン、１‐オクテンまたはそれらの混合物を含むオレフィンコモノマーと、に接触させる、
発明１７記載のオレフィン重合プロセス。
［発明１９］
（ｉ）あらかじめ接触させた混合物であって、
活性化剤担体、及び
固体メタロセン化合物
を含む、あらかじめ接触させた混合物；ならびに
（ｉｉ）有機アルミニウム化合物
を含む触媒組成物。
［発明２０］
前記活性化剤担体が、フッ化固体酸化物、硫酸化固体酸化物、リン酸化アルミナ、またはそれらの組合せを含み；
前記有機アルミニウム化合物が、トリメチルアルミニウム、トリエチルアルミニウム、トリ‐ｎ‐プロピルアルミニウム、トリ‐ｎ‐ブチルアルミニウム、トリイソブチルアルミニウム、またはそれらの任意の組合せを含み；かつ
前記固体メタロセン化合物が、シクロペンタジエニル基及びフルオレニル基を含む、架橋ジルコニウム系メタロセン化合物または架橋ハフニウム系メタロセン化合物を含む、発明１９記載の組成物。